(57)【要約】【課題】  ロックを解除して単に冷水筒を傾けただけで、液体を注ぐことができる冷水筒とする。【解決手段】  冷水や麦茶等の液体を貯留する有底筒状の本体部１００と、この本体部１００の開口端１１０を閉塞する蓋体２００とを備えており、前記蓋体２００は、本体部１００の開口端１１０に取り付けられる栓体部２１０と、この栓体部２１０に揺動可能に軸支されており、栓体部２１０の注ぎ孔２１５Ａ１を開閉する開閉蓋２２０と、この開閉蓋２２０を閉状態でロックするロック機構２３０とを有しており、前記開閉蓋２２０は、ロック機構２３０によるロックを解除された状態で本体部１００を液体を注ぐ方向に傾けても、水平状態を維持して、注ぎ孔２１５Ａ１を開状態とするようになっている。【選択図】      図６
2015058933.tif 000002
【特許請求の範囲】
【請求項１】
液体を貯留する有底筒状の本体部と、この本体部の開口端を閉塞する蓋体とを具備しており、前記蓋体は、本体部の開口端に取り付けられる栓体部と、この栓体部に揺動可能に軸支されており、栓体部の注ぎ孔を開閉する開閉蓋と、この開閉蓋を閉状態でロックするロック機構とを有しており、前記開閉蓋は、ロック機構によるロックを解除された状態で本体部を液体を注ぐ方向に傾けても、水平状態を維持して、注ぎ孔を開状態とすることを特徴とする冷水筒。
【請求項２】
前記栓体部には、開閉蓋の栓体部に対する開角度が所定角度に達すると、開閉蓋に接触して開閉蓋の開動作を停止させるストッパーが設けられていることを特徴とする請求項１記載の冷水筒。
【請求項３】
前記開閉蓋に力を加えて、前記ストッパーを超えて開閉蓋を開方向に移動させると、開閉蓋が開状態を維持することを特徴とする請求項２記載の冷水筒。
【請求項４】
前記開閉蓋は、前記ストッパーを超えて開状態を維持した状態でのみ栓体部から取り外すことができることを特徴とする請求項３記載の冷水筒。
【請求項５】
前記ロック機構による開閉蓋のロック状態を解除すると、開閉蓋は、若干開方向に開くように、ロック機構を構成するスライダは開閉蓋を若干下方向に押し下げる構成となっていることを特徴とする請求項１、２、３又は４記載の冷水筒。
【発明の詳細な説明】
【技術分野】
【０００１】
本発明は、冷水や麦茶等を収納する冷水筒に関する。
【背景技術】
【０００２】
この種の冷水筒としては、例えば、特開２００１−１５１２５７号公報に記載されたものがある。この冷水筒は『内容液を収容する筒型の容器と、その容器の口部を閉蓋すると共に、内容液を注出するための注出口および注出口に内容液を案内する通水口とを備えた蓋体とからなる冷水筒において、前記蓋体を、前半部に凹部を有すると共にその底面をさらに凹設して通水口用凹部を設け、その通水口用凹部の底部に底部面積より小面積の通水口を設けた蓋本体と、通水口用凹部の周壁に嵌合して前記通水口を閉塞する栓部が設けられた注出蓋とから構成し、この注出蓋を、その先端を上方に揺動させて前記注出口を開放できるように、蓋本体に枢支したことを特徴とする冷水筒。』である。
この特開２００１−１５１２５７号公報に記載された冷水筒は、抽出蓋の先端を上方に揺動させることによって、抽出口が開放されるように、抽出蓋は蓋本体に枢支されている。
【０００３】
【特許文献１】特開２００１−１５１２５７号公報
【発明の開示】
【発明が解決しようとする課題】
【０００４】
従って、この従来の冷水筒では、抽出口を開放するためには抽出蓋の後端部である操作部を押圧する必要があり、抽出口を閉じるためには抽出蓋の先端部である抽出樋カバー部を押圧する必要がある。
【０００５】
本発明は、上記事情に鑑みて創案されたもので、ロックを解除して単に冷水筒を傾けただけで、液体を注ぐことができる冷水筒を提供することを目的としている。
【課題を解決するための手段】
【０００６】
本発明に係る冷水筒は、液体を貯留する有底筒状の本体部と、この本体部の開口端を閉塞する蓋体とを備えており、前記蓋体は、本体部の開口端に取り付けられる栓体部と、この栓体部に揺動可能に軸支されており、栓体部の注ぎ孔を開閉する開閉蓋と、この開閉蓋を閉状態でロックするロック機構とを有しており、前記開閉蓋は、ロック機構によるロックを解除された状態で本体部を液体を注ぐ方向に傾けても、水平状態を維持して、注ぎ孔を開状態とするようになっている。
【発明の効果】
【０００７】
本発明に係る冷水筒は、開閉蓋がロック機構によるロックを解除された状態では、本体部を液体を注ぐ方向に傾けると、水平状態を維持して、注ぎ孔を開状態とするようになっているので、ロック解除状態で単に傾けただけで液体を注ぐことができるようになっている。
【図面の簡単な説明】
【０００８】
【図１】本発明の実施の形態に係る冷水筒の概略的斜視図である。
【図２】本発明の実施の形態に係る冷水筒の概略的断面図である。
【図３】本発明の実施の形態に係る冷水筒の概略的平面図である。
【図４】本発明の実施の形態に係る冷水筒を構成する蓋体のロック状態の概略的断面図である。
【図５】本発明の実施の形態に係る冷水筒を構成する蓋体のロック解除途中の概略的断面図である。
【図６】本発明の実施の形態に係る冷水筒を構成する蓋体のロック解除状態の概略的断面図である。
【図７】本発明の実施の形態に係る冷水筒を構成する蓋体のロック解除状態であって、最大限に開いた状態の概略的断面図である。
【図８】本発明の実施の形態に係る冷水筒の栓体部の図面であって、同図（Ａ）は概略的平面図、同図（Ｂ）は概略的正面図、同図（Ｃ）は概略的断面図である。
【図９】本発明の実施の形態に係る冷水筒の開閉蓋を構成する表面部の図面であって、同図（Ａ）は概略的平面図、同図（Ｂ）は概略的断面図、同図（Ｃ）は概略的正面図、同図（Ｄ）は概略的底面図である。
【図１０】本発明の実施の形態に係る冷水筒の開閉蓋を構成する下部構造の図面であって、同図（Ａ）は概略的平面図、同図（Ｂ）は概略的断面図、同図（Ｃ）は概略的正面図、同図（Ｄ）は概略的側面図である。
【図１１】本発明の実施の形態に係る冷水筒のロック機構を構成するスライダの図面であって、同図（Ａ）は概略的平面図、同図（Ｂ）は概略的断面図、同図（Ｃ）は概略的正面図、同図（Ｄ）は概略的底面図である。
【発明を実施するための形態】
【０００９】
本発明の実施の形態に係る冷水筒は、冷水や麦茶等の液体を貯留する有底筒状の本体部１００と、この本体部１００の開口端１１０を閉塞する蓋体２００とを備えており、前記蓋体２００は、本体部１００の開口端１１０に取り付けられる栓体部２１０と、この栓体部２１０に揺動可能に軸支されており、栓体部２１０の注ぎ孔２１５Ａ１を開閉する開閉蓋２２０と、この開閉蓋２２０を閉状態でロックするロック機構２３０とを有しており、前記開閉蓋２２０は、ロック機構２３０によるロックを解除された状態で本体部１００を液体を注ぐ方向に傾けても、水平状態を維持して、注ぎ孔２１５Ａ１を開状態とするようになっている。
【００１０】
前記本体部１００は、例えばＡＳ樹脂からなり、有底筒状に形成されている。この本体部１００の開口端１１０は略円形であり、内面には後述する蓋体２００を取り付けるための雌ねじ部１１０Ａが形成されている。
【００１１】
前記蓋体２００は、例えばＡＢＳ樹脂からなり、本体部１００の開口端１１０に取り付けられて開口端１１０を閉塞する栓体部２１０と、この栓体部２１０に揺動可能に軸支された開閉蓋２２０と、この開閉蓋２２０を閉状態でロックするロック機構２３０とを有している。
【００１２】
前記栓体部２１０は、図４等に示すように、縦方向でみた場合、栓体部２１０を本体部１００に取り付けた場合、本体部１００の内側に位置する栓体下部２１１と、本体部１００の外側に位置する栓体上部２１２とに大別される。
この栓体部２１０には、冷水筒全体の把手となる下向き略Ｌ字形状の把手部２１３が形成されている。なお、この把手部２１３には、外側面に肉盗み２１３Ａが形成されている。
【００１３】
この把手部２１３の平坦面には、図８に示すように、ロック機構２３０の一部を構成するスライド用ガイド溝部２１８が後述する動作制限部２１６側に向かって形成されている。
【００１４】
前記栓体下部２１１は、外周面に前記雌ねじ部１１０Ａと対応した雄ねじ部２１１Ａが形成されている。この栓体下部２１１と栓体上部２１２との間には、本体部１００の厚さ寸法に応じた段差が形成されている。このため、本体部１００に取り付けられた蓋体２００と本体部１００との間は段差が形成されることがない。なお、本体部１００の厚さ寸法に応じた段差の部分には、本体部１００と蓋体２００との間の水密性を維持するために、パッキン２５０が介在されている。
【００１５】
一方、前記栓体上部２１２には、冷水や麦茶等を注ぐ際のガイドとなる略嘴状の注出樋２１２Ａが外側に向けて突出形成されている。なお、前記把手部２１３は、前記注出樋２１２Ａとは１８０°反対側に突出形成されている。
【００１６】
また、この栓体部２１０は、図８（Ａ）、（Ｃ）に示すように、横方向でみた場合、本体部１００からの液体の注出に資する注出部２１５と、開閉蓋２２０の開動作の制限に資する動作制限部２１６とに大別される。前記注出部２１５と動作制限部２１６との間は、縦方向の仕切り壁２１７によって分断されている。
【００１７】
前記動作制限部２１６は、栓体下部２１１の下端縁部と共通する制限部側底面部２１６Ａを有している。この制限部側底面部２１６Ａの上面側ほぼ中央位置には、後述する突起状のストッパー２１６Ａ１が突出形成されている。
また、この動作制限部２１６の上端縁部には、前記開閉蓋２２０を軸支する一対の対向する軸２１６Ｂが形成されている。この軸２１６Ｂは、前記注出樋２１２Ａと把手部２１３とをつなぐ直線Ｌ１と直交する直線Ｌ２上に形成されている（図８（Ａ）参照）。
【００１８】
一方、前記注ぎ孔２１５Ａ１は、前記制限部側底面部２１６Ａより上方に位置する注出部側底面部２１５Ａに開設されている。この注出部側底面部２１５Ａは、開閉蓋２２０の弁部２２４がぴったりと密着するように下向きにほんの僅か凸の湾曲面となっている。
【００１９】
前記開閉蓋２２０は、平坦な表面部２２１（図９参照）と、この表面部２２１の下面に取り付けられる下部構造２２２（図１０参照）とから構成されている。
【００２０】
前記表面部２２１は、図９に示すように、栓体部２１０の栓体上部２１２の上端縁部の形状に対応すべく略舌片状の注出樋カバー部２２１Ａが突出された略防滴状に形成されている。なお、前記注出樋カバー部２２１Ａは、前記注出樋２１２Ａに対応した部分であり、栓体部２１０に取り付けられた開閉蓋２２０が閉状態であると、完全に注出樋２１２Ａを覆うようになっている。
【００２１】
また、この表面部２２１は、下面側に前記下部構造２２２を取り付けるための略円形の垂下リブ２２１Ｂを有している。この垂下リブ２２１Ｂの外周面側には、下部構造２２２を固定するための複数の縦型の固定リブ２２１Ｃが形成されている。
なお、この表面部２２１の表面側には、略円形状の浅い凹部２２１Ｄが形成されている。
【００２２】
前記下部構造２２２は、図１０に示すように、前記垂下リブ２２１Ｂを介して表面部２２１に取り付けられるものであり、垂下リブ２２１Ｂが嵌まり込むための嵌合部２２２Ａと、この嵌合部２２２Ａの下方に突出形成された弁部用凸部２２２Ｂと、この弁部用凸部２２２Ｂと並んで嵌合部２２２Ａの下方に突出形成された開角度制限用凸部２２２Ｃと、この開角度制限用凸部２２２Ｃの側面から突設されたロック用爪部２２２Ｄとが一体に形成されたものである。
【００２３】
前記嵌合部２２２Ａは、垂下リブ２２１Ｂの外形に対応しており、嵌合部２２２Ａを垂下リブ２２１Ｂに無理嵌めすることで下部構造２２２を表面部２２１に取り付けることができるようになっている。
【００２４】
また、前記弁部用凸部２２２Ｂは、シリコン製の弁体２２３を取り付けることで注ぎ孔２１５Ａ１を閉塞する弁部２２４となる。この弁部用凸部２２２Ｂには、貫通孔２２２Ｂ１が開設されている。この貫通孔２２２Ｂ１は、圧力調整のためのものである。
一方、開角度制限用凸部２２２Ｃは、正面視略正三角形状に形成されている。この開角度制限用凸部２２２Ｃの最も下方に位置する部分には、前記ストッパー２１６Ａに対応した突起部２２２Ｃ１が突設されている。
【００２５】
さらに、前記ロック用爪部２２２Ｄは、図１０に示すように、２種類の対向した爪、すなわち２つの上側爪２２２Ｄ１と１つの下側爪２２２Ｄ２とから構成される。上側爪２２２Ｄ１は下側爪２２２Ｄ２より突出量が小さく設定されている。しかも、下側爪２２２Ｄ２の先端には凸脈２２２Ｄ３が形成されている。
このロック用爪部２２２Ｄは、開閉蓋２２０をロックするロック機構２３０の一部を構成するものである。
【００２６】
また、前記嵌合部２２２Ａの外側縁部には、対向した一対の略Ｃ字形状の支点部２２２  Ｅが形成されている。この支点部２２２Ｅは、開閉蓋２２０の揺動の中心となる部分であって、前記軸２１６Ｂが嵌まり込む部分である。従って、この支点部２２２Ｅは、開閉蓋２２０を栓体部２１０に取り付けた場合、図８（Ａ）に示す直線Ｌ２上に形成されることになる。
【００２７】
なお、この支点部２２２Ｅは、前記軸２１６Ｂが嵌まり込む支持中心部２２２Ｅ１と、この支持中心部２２２Ｅ１に連なった連通部２２２Ｅ２とを有している。支持中心部２２２Ｅ１は、軸２１６Ｂの直径よりほんの僅か大きく、連通部２２２Ｅ２は軸２１６Ｂの直径よりほんの僅か小さく設定されている。
しかも、開閉蓋２２０の栓体部２１０からの取り外しは、開閉蓋２２０が前記ストッパー２１６Ａを超えて開状態を維持した状態でのみ行うことができるようにするため、前記連通部２２２Ｅ２は、斜め下向き形成されている。
【００２８】
なお、前記弁部用凸部２２２Ｂに取り付けられる弁体２２３は、図４等に示すように、有底円筒形状に形成されている。この弁体２２３は、弁部用凸部２２２Ｂに取り付けられた状態で、底部に相当する部分は貫通孔２２２Ｂ１が開設された部分からは浮くように設定されている。これは、本体部１００の内部圧力が高まった場合、弁体２２３の浮いた部分が変形することで圧力に対応することができるようにしたためである。もし、前記貫通２２２Ｂ１がなかったり、弁体２２３の底部に相当する部分が浮いていなかったりすると、本体部１００の内部圧力が高くなった場合、本体部１００に圧力が直接加わることになり、開閉蓋２２０を開けた瞬間に内部の液体が噴出することもありうるが、このように構成することで液体の噴出という問題を回避することができるのである。
【００２９】
上述したように、前記表面部２２１と、前記下部構造２２２とから構成される開閉蓋２２０は、支点部２２２Ｅ（直線Ｌ２）より注出樋カバー部２２１Ａ側の重量と、ロック用爪部２２２Ｄ側の重量とが等しくなるように設定されている。このため、開閉蓋２２０は、軸２１６Ｂによって栓体部２１０に揺動自在に取り付けられた状態では、いわばヤジロベエのようになっており、本体部１００を液体を注ぐ方向に傾けても、水平状態を維持するのである。
【００３０】
前記ロック機構２３０は、栓体部２１０の前記スライド用ガイド溝部２１８と、このスライド用ガイド溝部２１８にスライド可能に嵌まり込むスライダ２３１と、このスライダ２３１が係合する開閉蓋２２０のロック用爪部２２２Ｄとから構成されている。
【００３１】
前記スライダ２３１は、図１１に示すように、前記スライダ用ガイド溝部２１８に嵌まり込むスライダ本体部２３１Ａと、このスライダ本体部２３１Ａから突出したスライダ突出部２３１Ｂとが一体に形成されたものである。
前記スライダ本体部２３１Ａの表面側中央には、スライダ２３１をスライドさせる際に指の引っ掛かりとなる凸部２３１Ｃが突出形成されている。
【００３２】
また、スライダ本体２３１Ａのスライド方向の両側面には、スライダ２３１のスライドをガイドするためのガイド爪２３１Ｄが突出形成されている。さらに、前記スライダ突出部２３１Ｂのスライド方向の両側面には、スライダ２３１のスライドをガイドするためのガイド爪２３１Ｅが突出形成されている。２種類のガイド爪２３１Ｄ、２３１Ｅは、前記スライド用ガイド溝部２１８に形成されている図示しない爪用溝に嵌まり込んでスライダ２３１のスライドをガイドするようになっている。
【００３３】
また、前記スライダ突出部２１３Ｂの先端２３１Ｆは、裏面側に向かって略くの字形状に屈曲されている。この先端２３１Ｆは、前記ロック用爪部２２２Ｄの下側爪２２２Ｄ２の先端に形成された凸脈２２２Ｄ３と対応しており、開閉蓋２２０の貼り付きを未然に防ぐためのものである。
【００３４】
このように構成されたロック機構２３０は、図４に示すように、開閉蓋２２０を閉じた状態で、スライダ２３１をスライドさせて、スライダ突出部２３１Ｂをロック用爪部２２２Ｄの上側爪２２２Ｄ１と下側爪２２２Ｄ２との間に挿入することで、開閉蓋２２０を閉状態でロックする。
【００３５】
また、図５に示すように、このロック状態からスライダ２３１を先程とは反対の方向にスライドさせて、スライダ突出部２３１Ｂをロック用爪部２２２Ｄの上側爪２２２Ｄ１と下側爪２２２Ｄ２との間から抜きさることで、開閉蓋２２０のロック状態を解除する。
【００３６】
しかも、上述したように、スライダ突出部２１３の先端２３１Ｆは裏面側に向かって屈曲されており、ロック用爪部２２２Ｄの下側爪２２２Ｄ２の先端には凸脈２２２Ｄ３が形成されているので、スライダ２３１をロック状態からロックを解除する方向へスライドさせると、先端２３１Ｆが凸部脈２２２Ｄ３を下向きに押し下げる。この押し下げによって、開閉蓋２２０は開方向へと若干開く。
【００３７】
例えば、前記先端２３１Ｆや凸部脈２２２Ｄ３が形成されていないと、スライダ２３１をロック状態からロックを解除する方向へスライドさせても、弁部２２４の弁体２２３が注ぎ孔２１５Ａ１に貼り付いた状態のままとなり、冷水筒を傾けても開閉蓋２２０が開かない事態が起こりうる。
しかし、ロック状態にあるスライダ２３１をロックを解除する方向へスライドさせると、先端２３１Ｆが凸部脈２２２Ｄ３を必ず下向きに押し下げるので、弁体２２３の注ぎ孔２１５Ａ１への貼り付きは発生しえない。
【００３８】
このように構成された開閉蓋２２０は、栓体部２１０に組み込まれて蓋体２００となる。かかる蓋体２００は、開閉蓋２２０がロック機構２３０でロックされていると、傾けても注ぎ孔２１５Ａ１は開くことはない。従って、ロック機構２３０による開閉蓋２２０のロックが行われている限り、冷水筒が倒れても内部の液体が漏れ出ることはない。
【００３９】
一方、ロック機構２３０によるロックを解除した状態で傾けると、揺動自在となっている開閉蓋２２０は水平状態を維持するので、注ぎ孔２１５Ａ１が開く。しかも、上述したように、ロック機構２３０のロックを解除する際に、注ぎ孔２１５Ａ１が開くようになっているので、液体を確実に注ぐことができる。
しかも、図６に示すように、冷水筒を最大限に傾けると、開閉蓋２２０の突起部２２２Ｃ１と、栓体部２２１０のストッパー２１６Ａ１とが接触し、それ以外の以上に冷水筒を傾けても開閉蓋２２０がそれ以上開くことはない。
【００４０】
例えば、注ぎ孔２１５Ａ１の周辺や動作制限部２１６辺りを洗浄する場合には、図６に示すように、開閉蓋２２０の突起部２２２Ｃ１と、栓体部２２１０のストッパー２１６Ａ１とが接触した状態でも開き具合が不十分である。
かかる場合には、開閉蓋２２０に対してより開方向に力を加え、図７に示すように、突起部２２２Ｃ１がストッパー２１６Ａ１を乗り越えさせて、開閉蓋２２０を最大限に開く。支点部２２２Ｅの連通部２２２Ｅ２が斜め下向き形成されているので、この状態、すなわち開閉蓋２２０が最大限に開いた状態では、開閉蓋２２０を栓体部２１０から取り外すことができるのである。開閉蓋２２０を取り外すと、注ぎ孔２１５Ａ１の周辺や動作制限部２１６辺りを容易に洗浄することができる。
【符号の説明】
【００４１】
１００      本体部
１１０      開口端
２００      蓋体
２１０      栓体部
２１０      開閉蓋
２１５Ａ１  注ぎ孔
２３０      ロック機構
【図１】
2015058933.tif 000003
【図２】
2015058933.tif 000004
【図３】
2015058933.tif 000005
【図４】
2015058933.tif 000006
【図５】
2015058933.tif 000007
【図６】
2015058933.tif 000008
【図７】
2015058933.tif 000009
【図８】
2015058933.tif 000010
【図９】
2015058933.tif 000011
【図１０】
2015058933.tif 000012
【図１１】
2015058933.tif 000013